(57)【特許請求の範囲】
【請求項１】
筒状のハンマー部と、
前記ハンマー部をスライド自在に支持する軸部と、
前記軸部に固定されて、スライドさせた前記ハンマー部に打撃される打撃受け面とを備え、前記打撃受け面が受けた打撃力を、前記軸部を介して作用対象に伝達するスライディングハンマーであって、
前記軸部の軸方向に沿って設けられ、前記軸方向に沿った長さが異なる複数の溝部と、
前記ハンマー部における前記軸部に対する回転及びスライドを規制可能な位置規制部とを備え、
前記位置規制部は、
前記ハンマー部の内外に貫通する貫通孔と、
前記貫通孔に挿通されて、先端部の位置が、前記溝部の底部に接触した固定段階、前記溝部がつくる空間内に位置した回転規制段階、前記溝部に嵌っていない自由段階の三段階に変化可能に設けられたピン部とを備えるスライディングハンマー。
【発明の詳細な説明】
【技術分野】
【０００１】
本発明は、ハンマー部を軸部に沿ってスライドさせて打撃受け面に衝突させて打撃力を生じさせ、この打撃力を所定の作業に利用するスライディングハンマーに関する。
【背景技術】
【０００２】
従来、ハンマー部を軸部に沿ってスライドさせて打撃受け面に衝突させて打撃力を発生し、この打撃力を押圧力や引張力として作用させる手工具として、スライディングハンマーがある（例えば、特許文献１，２参照）。図４に、従来のスライディングハンマー（工具１００）の一例を示す。工具１００は、所定の重量を有する円筒状のハンマー部１０１と、ハンマー部１０１をスライド自在に支持する丸棒状の軸部１０３と、軸部１０３の先端側に固定されて、軸部１０３をスライドさせたハンマー部１０１に打撃される大径の打撃受け面１０３２ｆと、軸部１０３の先端側に取り付けられて、作用対象に対して所定の作業を行う作用部１０５とを備える。
【０００３】
図４に示す作用部１０５は、図５に示すドリル装置２００の本体２１０に、図５の下方から上方に向かって設けられた取付穴２１２に挿入されたドリル２２０を本体２１０から抜き取るときに用いられる刃状部材である。抜き取り作業は以下のように行う。本体２１０に、図５の右方から左方に向かって設けられた工具用スリット２１４に、作用部１０５の先端部を挿入する。この位置決め後、ハンマー部１０１を作用部１０５側にスライドさせて、打撃受け面１０３２ｆに打ち付ける。このときの打撃力が打撃受け面１０３２ｆ及び軸部１０３を介して作用部１０５に伝達されて、作用部１０５の先端部がドリル２２０の端面を押圧することで、本体２１０から作用対象であるドリル２２０を抜き取れる。この工具１００では、ハンマー部１０１自体を作業者の握り部として利用する。そのため、作業者は、ハンマー部１０１のスライド動作を片手で容易に行える。
【先行技術文献】
【特許文献】
【０００４】
【特許文献１】特開平０９−１９２７４１号公報
【特許文献２】登録実用新案第３０５１６９９号公報
【発明の概要】
【発明が解決しようとする課題】
【０００５】
上述の従来のスライディングハンマーに対して作業性の改善が望まれている。
【０００６】
従来の工具１００では、常時、ハンマー部１０１が軸部１０３に対して回転自在かつスライド自在であり、固定されない。そのため、打撃前に作用部１０５を位置決めする際、作業者が握るハンマー部１０１に対して作用部１０５の位置、特に先端部の位置を安定させることが難しい。
【０００７】
そのため、狭いスリット２１４に作用部１０５の先端部を挿入するには、図５に示すようにハンマー部１０１を一方の手で握ると共に、作用部１０５の先端部近くを他方の手で支えるなどする必要がある。即ち、作業者は、作用部１０５の位置決めを両手で行う必要があり、作業性に劣る。
【０００８】
また、従来の工具１００では、ハンマー部１０１の移動量の調整を作業者の感覚によって行う。そのため、特に移動量を小さくする場合、作業者によって移動量にばらつきがあり、打撃力にばらつきが生じて、所望の作業を効率よく行い難い。移動量を高精度に調整しようとすると時間が掛かり、作業性に劣る。
【０００９】
そこで、本発明の目的の一つは、作業性に優れるスライディングハンマーを提供することにある。
【課題を解決するための手段】
【００１０】
本発明は、筒状のハンマー部と、前記ハンマー部をスライド自在に支持する軸部と、前記軸部に固定されて、スライドさせた前記ハンマー部に打撃される打撃受け面とを備え、前記打撃受け面が受けた打撃力を、前記軸部を介して作用対象に伝達するスライディングハンマーに係るものである。このスライディングハンマーは、前記軸部の軸方向に沿って設けられ、前記軸方向に沿った長さが異なる複数の溝部と、前記ハンマー部における前記軸部に対する回転及びスライドを規制可能な位置規制部とを備える。前記位置規制部は、前記ハンマー部の内外に貫通する貫通孔と、前記貫通孔に挿通されて、先端部の位置が、前記溝部の底部に接触した固定段階、前記溝部がつくる空間内に位置した回転規制段階、前記溝部に嵌っていない自由段階の三段階に変化可能に設けられたピン部とを備える。
【発明の効果】
【００１１】
上記のスライディングハンマーは作業性に優れる。
【図面の簡単な説明】
【００１２】
【図１】実施形態１のスライディングハンマーを示す概略斜視図である。
【図２】実施形態１のスライディングハンマーを示す分解斜視図である。
【図３】実施形態１のスライディングハンマーについて、図１に示す（ＩＩＩ）−（ＩＩＩ）切断線で切断した横断面図であり、ピン部と溝部との嵌合状態を示す。
【図４】従来のスライディングハンマーの一例を示す概略構成図である。
【図５】図４に示す従来のスライディングハンマーを用いて、ドリル装置からドリルを取り外す状態を説明する説明図である。
【発明を実施するための形態】
【００１３】
［実施形態１］
以下、図１〜図３を参照して、本発明のスライディングハンマーを具体的に説明する。図面において、同一符号は同一名称物を示す。
【００１４】
・全体構成
実施形態１のスライディングハンマー１（以下、工具１と呼ぶ）は、筒状のハンマー部１１と、ハンマー部１１をスライド自在に支持する軸部１３と、軸部１３に固定されて、軸部１３に沿ってスライドさせたハンマー部１１に打撃される打撃受け面１３２ｆとを備える。この工具１は、打撃受け面１３２ｆが受けた打撃力を、軸部１３を介して、作用対象に伝達して、作業部１５によって所定の作業を行う。工具１の基本的構成及び基本的動作は、従来のスライディングハンマーと同様である。工具１は、軸部１３に複数の溝部１３０を備える点、ハンマー部１１における軸部１３に対する回転及びスライドを規制可能な位置規制部を備える点を特徴の一つとする。位置規制部は、溝部１３０に対して進退可能に設けられたピン部２０を備える。そして、この位置規制部によって、ハンマー部１１が軸部１３に対する一時的な固定を可能にする。以下、各要素の詳細を説明する。
【００１５】
・・ハンマー部
ハンマー部１１は、軸部１３をその軸方向に沿ってスライドして作用対象に付与する打撃力（ここでは押圧力）を発生するための筒状の錘であり、所定の重量を有する。工具１では、このハンマー部１１の中間領域を作業者の握り部１１０として利用する。そのため、握り部１１０を作業者が握り易い形状及び大きさとしている。図１では、ハンマー部１１を円筒状とし、中間領域の外径を両端部の外径よりも小さくしている（細くしている）。握り部１１０の外形は円形以外でもよく、例えば、四角形や六角形などの多角形状、楕円などの曲面状などとすると滑り難く握り易いと期待される。ハンマー部１１の各端部に設けられた大径部１１２，１１４はそれぞれ、打撃受け面１３２ｆに当接する打撃発生部、ハンマー部１１の抜け止め１７に当接する当て止めとして機能する。
【００１６】
握り部１１０を含むハンマー部１１における軸部１３の挿通孔は、円柱状の軸部１３の外形に沿った円孔である。この挿通孔の内径は、軸部１３との間の間隔ができるだけ小さくなるように選択すると、ハンマー部１１と軸部１３との間のがたつきを低減できて好ましい。図３の断面図では分かり易いように上記間隔を誇張して大きく示す。
【００１７】
ハンマー部１１は、更に、握り部１１０にその内外に貫通して、ピン部２０が挿通される貫通孔１１ｈを有する。貫通孔１１ｈにおける外周側開口部近傍には、ピン部２０の頭部２４の当て止めを備える。詳細は、ピン部２０の項で説明する。
【００１８】
・・軸部
軸部１３は、ハンマー部１１を軸部１３の軸方向に沿って直線的に移動させるための案内部材であると共に、作用部１５を介して作用対象に打撃力を伝達する打撃伝達部材の一つである。軸部１３は、中空の円筒材を利用すると軽量化が図れるが、中実の丸棒材とすると強度に優れる。
【００１９】
軸部１３の長さは、所望のハンマー部１１の移動量を確保できるように選択するとよく、少なくともハンマー部１１の長さよりも長くする。軸部１３の外径は、上述のようにハンマー部１１との間の間隔が小さくなるように選択する。
【００２０】
・・・溝部
軸部１３は、更に、その軸方向に延設されて、その軸方向に沿った長さ（溝長さ）が異なる複数の溝部１３０（１３０１〜１３０ｎ）を備える。溝部１３０には、ピン部２０の先端部が挿入及び抜去される。ピン部２０の先端部の位置によって、溝部１３０の溝長さに応じたハンマー部１１のスライドを可能にして、溝部１３０及びピン部２０はハンマー部１１の移動量調整部として機能する。また、ピン部２０の先端部の位置によって、ハンマー部１１の回転規制やスライド規制を可能にして、溝部１３０及びピン部２０は、ハンマー部１１の位置規制部とし機能する。
【００２１】
溝部１３０の個数、溝長さ（軸部１３の軸方向に沿った長さ）、溝深さ、溝の断面形状などは適宜選択できる。
【００２２】
溝部１３０の個数について述べると、ハンマー部１１の最大移動量となる長さを有する溝部１３０ｍａｘと、最大移動量よりも少ない所望の移動量となる長さを有する溝部１３０ａｎｙとの合計２つの溝部を少なくとも備える。この例では合計６つの溝部１３０１〜１３０６を備える例を示す（ｎ＝６）。
【００２３】
溝長さについて述べると、最大移動量に対応する溝部１３０ｍａｘの長さは、軸部１３における先端部から後端部に概ね至る長さである。その他の溝部１３０の長さは、軸部１３の先端部から軸部１３の中間部であって、所望の位置に至るまでの長さである。この例では、ハンマー部１１を軸部１３の先端側（作用部１５側）に移動させて押圧力を生じさせるため、各溝部１３０１〜１３０ｎの一端部は、先端側で揃えられている（図１，図２）。また、ハンマー部１１が打撃受け面１３２ｆに当接したときに、ピン部２０が溝部１３０の端面に接触しない位置に、各溝部１３０１〜１３０ｎの一端部が設けられるように溝長さを調整している。
【００２４】
溝深さについて述べると、溝部１３０とピン部２０との係合によるハンマー部１１の固定を十分に行えて、かつ軸部１３の強度の低下を実質的に招かない範囲で選択するとよい。
【００２５】
溝部１３０の断面形状について述べると、図３に示すように断面長方形状が挙げられる。溝部１３０の底面１３０ｄが平面であることで、ピン部２０の先端面との接触面積が大きく、溝部１３０とピン部２０との接触摩擦によるハンマー部１１の固定を行い易く好ましい。
【００２６】
この例の各溝部１３０１〜１３０ｎはいずれも、断面矩形状であり、軸部１３の長手方向に沿って一様な形状かつ一様な溝深さを有しており、溝長さのみ異なる。こうすることで、いずれの溝部１３０に対しても、ピン部２０の先端部の挿入によるハンマー部１１の回転規制やスライド規制などを安定して行える。
【００２７】
・・・取付部
この例の工具１は、軸部１３の先端側に作用部１５を取り付ける装着部１３２を一体に備える。装着部１３２は、一方が開口した有底円筒体であり、その外径が軸部１３の外径よりも大きく、底部をつくる円環板部が軸部１３の外周面から突出している。装着部１３２の開口部に作用部１５に備える取付部１５２（図２）を挿入し、ボルトやねじなどの締結部材５０によって両者を連結することで、軸部１３に作用部１５を固定する。装着部１３２の底部の一面は、ハンマー部１１の一方の大径部１１２が当接する打撃受け面１３２ｆである。そのため、装着部１３２は、軸部１３と共に、作用部１５への打撃力伝達部材の一つとして機能する。
【００２８】
・・・抜け止め
この例の工具１は、軸部１３の後端側にハンマー部１１が軸部１３から脱落することを防止する抜け止め１７を備える。抜け止め１７は、適宜な形状、大きさのものを利用できる。抜け止め１７の軸部１３への固定は、例えば、抜け止め１７を内周面に雌ねじを有するリング体とし、軸部１３の端部に雄ねじを設けて、抜け止め１７を軸部１３の端部にねじ込んで締結したり、抜け止め１７をリング体として軸部１３の端部に嵌入し、重ね合せた箇所に別途ねじを締め付けたりすることが挙げられる。
【００２９】
・・ピン部
ピン部２０は、上述のように軸部１３の溝部１３０と共に、ハンマー部１１の移動量調整部及び位置規制部の構成要素である。ピン部２０は、図２に示すように溝部１３０に挿入される先端部を有する軸棒２２と、軸棒２２に連結され、軸棒２２よりも大径である頭部２４とを備え、ばね２５によって弾性支持される。
【００３０】
軸棒２２は、ハンマー部１１の貫通孔１１ｈの内径以下の大きさを有する柱体又は筒体であって、ピン部２０を貫通孔１１ｈに押し込んだときに、その先端部が溝部１３０の底部１３０ｄ（図３）に接する長さを有するものであればよい。ここでは軸棒２２は、貫通孔１１ｈの内径よりも小径の円柱体である。
【００３１】
頭部２４は、作業者が、ピン部２０を貫通孔１１ｈに押し込むときの押圧部、押し込んだときの当て止め、ピン部２０の先端部を軸部１３の溝部１３０から引き抜くときの摘み部として機能する。これらの機能を奏するために、頭部２４は、軸棒２２の外径及び上述の貫通孔１１ｈの内径よりも大きくしている。
【００３２】
この例のピン部２０は、ばね２５によってハンマー部１１に弾性支持されて、先端部の位置が図３（Ｂ）〜図３（Ｄ）に示すように三段階に変化可能に取り付けられている。ばね２５の一端部は、ハンマー部１１の貫通孔１１ｈをつくる内周面に、ばね２５の他端部は軸棒２２に、それぞれ差込孔などを設けて差し入れるなどして固定している。ピン部２０の先端位置が段階的に変化可能なように、軸棒２２の長さ、ばね２５の自然長などを選択する。
【００３３】
以下、図３を参照して、ピン部２０の先端部の位置と、ハンマー部１１の状態との関係を説明する。図３は、工具１においてハンマー部１１及び軸部１３をその軸方向と直交方向に切断した横断面図であり、ピン部２０の近傍を部分的に示す。図３（Ｂ）〜図３（Ｄ）は、軸棒２２の先端位置が異なる状態を説明するために、軸棒２２の先端部近傍を拡大して示す。
【００３４】
ばね２５が自然長であるとき、図３（Ｃ）に示すように、ピン部２０の軸棒２２の端面２２ｄが、溝部１３０がつくる空間内の途中に位置するように、即ち軸棒２２の端面２２ｄが溝部１３０の深さ方向の途中に位置して、溝部１３０の底面１３０ｄに接しないようにピン部２０が支持される。この状態では、ハンマー部１１は、軸部１３に対する回転が溝部１３０の幅内に規制されるものの、スライドは規制されない。即ち、この状態では、ハンマー部１１は、軸部１３をスライド可能であり、打撃動作が行える。以下、ピン部２０におけるこの配置位置を回転規制段階と呼ぶ。
【００３５】
ピン部２０を手の指などで押し込むと、図３（Ｄ）に示すように、ばね２５が頭部２４とハンマー部１１の貫通孔１１ｈにおいて内周側開口部寄りに設けられた受け部との間で圧縮されて、軸棒２２の先端部が溝部１３０に嵌り込み、軸棒２２の端面２２ｄが溝部１３０の底面１３０ｄに接触する。頭部２４の押し込みを維持することで（指などで押し続けることで）、軸棒２２と溝部１３０との接触状態を維持できる。この状態では、ハンマー部１１は、接触摩擦によって、軸部１３に対する回転及びスライドの双方が阻止される。以下、ピン部２０におけるこの配置位置を固定段階と呼ぶ。ピン部２０から指などを離すと、ばね２５が自身の弾性によって自動的に自然長に戻り、上述の図３（Ａ），（Ｃ）に示す回転規制段階になる。
【００３６】
ばね２５が自然長である回転規制段階から、ピン部２０の頭部２４を手の指などで摘まんで引っ張ると、図３（Ｂ）に示すように、ばね２５が伸びて、軸棒２２の先端部が溝部１３０から抜ける。溝部１３０の開口縁よりも外方にまで引っ張ることで、軸棒２２が軸部１３に接触しなくなる。この状態、即ち軸棒２２が溝部１３０に嵌っていない状態では、ハンマー部１１は、軸部１３に対する回転及びスライドの双方が可能である。以下、ピン部２０におけるこの配置位置を自由段階と呼ぶ。工具１では、頭部２４を離して、ピン部２０の引っ張りを解除すると、上述のようにばね２５によって自動的に回転規制段階になる。
【００３７】
ハンマー部１１におけるピン部２０の取付位置は、適宜選択できる。例えば片手の小指が作用部１５側になるように握り部１１０を握って打撃操作を行う場合、図１に示すように、ハンマー部１１における後端側（抜け止め１７に近い側）にピン部２０を配置すると、親指などの太い指でピン部２０を押し込めるため、使い勝手がよい。片手の親指側が作用部１５側になるように握り部１１０を握って打撃操作を行う場合には、抜け止め１７を取り外して、ハンマー部１１の前後を入れ替える。即ちピン部２０の取付位置が近い大径部１１４が先端側、大径部１１２が後端側に位置するように軸部１３にハンマー部１１を挿入する。こうすることで、上述のように親指などの太い指でピン部２０を押し込めるため、使い勝手がよい。工具１は、このようなハンマー部１１の付け替えを容易に行えて作業性が良い。
【００３８】
・・作用部
作用部１５は、作用対象に対して所定の作業を行う種々の形状を有するものが利用でき、特に問わない。この例の作用部１５は、軸部１３に対して着脱可能な部材であり、図２に示すようにその一端側に軸部１３の装着部１３２に嵌め込まれる大径の取付部１５２を備える。図１に示す作用部１５Ａは、図４で説明した刃型形状のものである。図２に示す棒状体の作用部１５Ｂは、図示しないスリーブなどの筒状体（作用対象）を収納孔に打ち込む際などに利用する。具体的には、筒状体の孔に作用部１５Ｂの先端部を挿入し、打撃受け面１３２ｆが受けた打撃力を、取付部１５２の一面（筒状体の端面との対向面）を介して筒状体の端面に作用させ、取付部１５２の一面で筒状体を打ち付ける。
【００３９】
・使用方法
上述の溝部１３０とピン部２０とを備える工具１は、以下のように使用する。まず、打撃操作前に作用部１５の位置決めを行う。例えば、図５に示すドリル装置２００の本体２１０に設けられたスリット２１４に作用部１５Ａの先端部を挿入する場合、ピン部２０の頭部２４を手の指などで押し込んで、図３（Ｄ）に示す上述の固定段階とする。こうすることで、作業者が握るハンマー部１１（握り部１１０）が軸部１３に対して滑らず、ハンマー部１１と軸部１３とを一時的に一体の剛体として取り扱えるため、作用部１５Ａの先端部の位置決めを安定して行える。
【００４０】
上述の位置決めが終わって打撃操作を行う場合、指などを離してピン部２０の押し込みを解除して、図３（Ａ）、図３（Ｃ）に示す上述の回転規制段階とする。こうすることで、作業者が握るハンマー部１１（握り部１１０）の回転が規制されて、スライド操作を良好に行える。また、溝部１３０とピン部２０とをスライド操作の案内に利用できるため、ハンマー部１１のスライド操作を安定して行え、溝部１３０の長さに応じた打撃力を発生できる。
【００４１】
ハンマー部１１の移動量を変更する調整操作を行う場合、ピン部２０の頭部２４を手の指などで摘まんで引っ張り、図３（Ｂ）に示す上述の自由段階とする。そして、現在の溝部１３０ｘの位置から、所望の打撃力に応じた長さを有する別の溝部１３０ｙにハンマー部１１を回転させて、ピン部２０を移動させる。その後、指などを離してピン部２０の引っ張りを解除して、この溝部１３０ｙに対して回転規制段階とすることで、上述のように所望の打撃力を発生できる。例えば、上述の作用部１５Ｂを利用して筒状体を打ち込むにあたり、小さな打撃力が必要な場合、上述の手順（ピン部２０を引っ張る⇒ハンマー部１１の回転⇒ピン部２０の引っ張り解除）によって、溝部１３０の変更を行うとよい。
【００４２】
（効果）
実施形態１の工具１は、軸部１３に対するハンマー部１１の回転及びスライドを規制可能な位置規制部を備えることで、作用対象に対して作用部１５の位置決めを容易に行える。例えば、図４に示す従来の工具１００では、作用部１０５の位置決めを両手で行う必要があるが、実施形態１の工具１では、ピン部２０の押し込み状態を維持すればよく、片手で行える。上述の作用部１５Ｂも同様に、筒状体への挿入を片手で安定して行える。
【００４３】
また、工具１は、ハンマー部１１の移動量が所望量となる溝長さを有する溝部１３０を選択して、ピン部２０を抜き差しするだけで、上記移動量を精度よくかつ簡単に調整でき、作業者による移動量のばらつきが実質的に生じない。溝長さが異なる溝部１３０を２つ以上、好ましくは３つ以上備えることで、種々の移動量に対応できながらも、移動量の調整が容易である。特に、上述のような小さい打撃力でよい場合などでも、ハンマー部１１の移動量を精度よく、短時間で簡単に調整できる。更に、この工具１では、ピン部２０をばね２５によって支持しているため、作業者はピン部２０の引っ張り操作とハンマー部１１の回転操作という非常に簡単な操作を行うだけで移動量の変更を行え、特許文献２に記載される止めねじを利用する場合に比較して、作業性に優れる。
【００４４】
このように実施形態１の工具１は、作業性に優れる。また、工具１は、複数の溝部１３０を備えると共に、ピン部２０を備える簡単な構成であるため、低コストである上に、壊れ難く、長期に亘り利用できる。
【００４５】
［変形例１］
実施形態１では、ハンマー部１１の打撃力を作用対象に押圧力として作用させる例を説明した。その他、軸部１３の後端側に設けられた抜け止め１７において、軸部１３側の一面を打撃受け面とし、軸部１３を介して伝達されるハンマー部１１の打撃力を作用対象に引張力として作用させる形態とすることができる。この場合、ハンマー部１１における抜け止め１７側への移動量を調整できるように、軸部１３に延設する各溝部１３０１〜１３０ｎの一端部は、抜け止め１７に近い後端側に揃える。また、この場合、作用部は、フックや折り曲げ片状のものなどが挙げられる。このような屈曲形状の作用部を作用対象、例えば、自動車のドアなどの板金に引っ掛けることで、打撃力によって作用対象を引っ張って凹みの補修などができる。
【００４６】
［変形例２］
実施形態１では、作用部１５が軸部１３に対して着脱可能な例を説明した。作用部１５が軸部１３に一体に設けられた形態や、軸部１３の端面自体を作用部とする形態とすることができる。これらの場合、打撃受け面１３２ｆを軸部１３に一体に備えるとよい。
【００４７】
［変形例３］
実施形態１では、ピン部２０が円柱体であり、ばね２５によって支持された例を説明した。その他、ピン部２０をねじとし、貫通孔１１ｈをねじ孔とする形態とすることができる。この場合、ばねを省略できる。
【００４８】
［変形例４］
実施形態１では、軸部１３の先端側に固定される装着部１３２に打撃受け面１３２ｆを備える例を説明した。その他、ピン部２０の軸棒２２の外周面が当接する軸部１３の溝部１３０の端面を打撃受け面とすることができる。この場合、ピン部２０は、打撃に耐え得る強度を有する材料によって構成する。溝部１３０の一端部は、軸部１３の中間部に設ける。そして、ハンマー部１１をスライドして、溝部１３０の端部にピン部２０の軸棒２２を押し当てたり、溝部１３０の端部の近傍でピン部２０を押し込んでこの状態で溝部１３０の端面に押し当てたりするとよい。
【産業上の利用可能性】
【００４９】
本発明のスライディングハンマーは、ハンマー部の重量に応じた打撃力を作用対象に伝えて種々の作業を行う場合に利用できる。
【符号の説明】
【００５０】
１  工具（スライディングハンマー）
１１  ハンマー部  １１ｈ  貫通孔  １１０  握り部  １１２，１１４  大径部
１３  軸部  １３０，１３０１〜１３０ｎ  溝部  １３２  装着部
１３２ｆ  打撃受け面  １３０ｄ  底面
１５，１５Ａ，１５Ｂ  作用部  １５２  取付部  １７  抜け止め
２０  ピン部  ２２  軸棒  ２２ｄ  端面  ２４  頭部  ２５  ばね  ５０  締結部材
１００  工具（スライディングハンマー）  １０１  ハンマー部  １０３  軸部
１０３２ｆ  打撃受け面  １０５  作用部
２００  ドリル装置  ２１０  本体  ２１２  取付穴  ２１４  工具用スリット
２２０  ドリル
【図１】
0006366065.tif 000002
【図２】
0006366065.tif 000003
【図３】
0006366065.tif 000004
【図４】
0006366065.tif 000005
【図５】
0006366065.tif 000006